(57)【要約】【課題】球箱に向かって落下する球の球こぼれや配置台からの球箱の転落を効果的に防止するとともに、短時間に多量の景品球が払い出されてもすぐに満杯とならない容量の大きな球箱を使用可能とする遊技機を提供すること。【解決手段】この遊技機２は、遊技機の周囲を囲む筐体枠４と、球２０の流下による遊技を実現する遊技領域６ｂがその前面に形成された遊技盤６と、球を貯留する貯留皿８とを有し、貯留皿の下方に、遊技盤前面より奥側に凹ませて形成され、貯留皿から排出された球を収容する球箱Ｂ１を配置するための球箱配置空間３０が設けられている。【選択図】図１
2008154914.tif 000002
【特許請求の範囲】
【請求項１】
遊技機の周囲を囲む筐体枠と、
球の流下による遊技を実現する遊技領域がその前面に形成された遊技盤と、
前記球を貯留する貯留皿と、を有する遊技機であって、
該貯留皿の下方に、前記遊技盤前面より奥側に凹ませて形成され、前記貯留皿から排出された球を収容する球箱を配置するための球箱配置空間が設けられた遊技機。
【請求項２】
前記筐体枠に対して前面開閉可能に軸支された枠部材をさらに有し、
該枠部材が、前記球箱を載置するための底面を有する請求項１に記載の遊技機。
【請求項３】
前記球箱の左右方向の位置を決める位置決め部を、さらに有する請求項１又は請求項２に記載の遊技機。
【請求項４】
前記位置決め部が、前記球箱配置空間に形成された位置決め部材である請求項３に記載の遊技機。
【請求項５】
前記位置決め部が、前記球箱配置空間の側面である請求項３に記載の遊技機。
【請求項６】
前記球箱配置空間内に設けられ、前記貯留皿から排出された球を前記球箱に向けて放出する球出口と、
前記貯留皿から排出された球を前記球出口へと導く溢流路と、をさらに有する請求項１から請求項５のうちいずれか１項に記載の遊技機。
【発明の詳細な説明】
【技術分野】
【０００１】
本発明は、遊技機に係り、特に球箱を配置する球箱配置空間を形成することにより、容量の大きな球箱を配置可能にするとともに球こぼれや球箱の転落を効果的に防止することができる遊技機に関する。
【背景技術】
【０００２】
パチンコ機等の弾球遊技機（以下、遊技機という。）では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
近年の遊技機では、より一層の興趣向上を図るために遊技者に多量の景品球を獲得させるいわゆる「当り」が構成されるものもある。「当り」は、遊技盤面上に設けられた画像表示装置等に表示された数字やキャラクター等の図柄が変動し、特定の表示態様となったときに、遊技者が多量の景品球を獲得できるようにしたものである。
【０００４】
一方、遊技機は、払い出された景品球を一時的に貯留するための貯留皿を有している。しかし、前述した「当り」の際には短時間で多量の景品球が払い出されるため貯留皿だけでは球を貯留しきれない。そこで、遊技機には、貯留皿に貯留しきれずに溢れてしまった球や遊技者の操作によって貯留皿から排出された球を通過させるための流路が形成されており、この流路を通過した球が貯留皿の下方に形成された下皿に導かれるように構成されている。
【０００５】
遊技機の手前（遊技者側）であって下皿の下方には遊技者や遊技機設置店の店員によって球を収容するための球箱が配置されている。そして、下皿にも貯留しきれなくなった球は、球箱内に落下させて収容することができるようになっている。例えば下皿の底部には開閉可能な開閉板が常時閉となるように形成されており、遊技者がその開閉板を開状態となるように操作することで、下皿に貯まった球を球箱内に向けて落下させることができるようになっている。なお、下皿が形成されていない遊技機もあるが、この場合には貯留皿から排出された球は流路を通過して直接球箱に向けて導かれ、球箱内に落下するように構成される。
【０００６】
球箱は遊技機が設置された遊技機島の一部であって遊技機の前面に突出して形成された配置台上に配置されるが、この配置台は遊技者の邪魔にならないように小さめの突出量で形成されている。
【０００７】
このため、遊技者が立ち上がった際に球箱にぶつかったり、自身の荷物を球箱に引っ掛けたりした場合に、球箱は配置台上から落下しやすくなっている。また、遊技機設置店の店員が、遊技機内部で発生したトラブルを解消するために、遊技機の前面に開閉可能に軸支された機枠等を開いたりする際に、店員自身又は機枠等が球箱にぶつかったりした場合も球箱が転落しやすくなっている。
【０００８】
そこで、球箱が配置台から転落するのを防止するために、遊技機に球箱保持機構を設けたものとして、例えば特許文献１に開示のものがある
【０００９】
【特許文献１】特開２００６−３４３４９号公報
【発明の開示】
【発明が解決しようとする課題】
【００１０】
しかし、特許文献１に開示のものによって球箱の転落を防止することはできるが、小さめの突出量で形成された配置台に配置される球箱の容量（サイズ）を大きくすることはできない。
【００１１】
したがって、多量の景品球が短時間で払い出されたとき（特に「当り」のとき。）に球箱はすぐに球で満杯となってしまう。したがって、遊技者は満杯となった球箱を別の場所に移動し、代わりに空の球箱を球の落下位置に配置する交換作業を頻繁に行わなければならず、非常に面倒で煩わしい思いをする。
【００１２】
また、適切な位置に球箱を配置しないと、球の落下位置からずれてしまい多くの球が配置台や床にこぼれてしまう。また、球箱は上面全体が開放された箱状に形成されているので、勢いよく落下してきた球は球箱の底板に衝突して跳ね返り、球箱からこぼれてしまうこともあるがこれを効果的に防止することもできない。
【００１３】
本発明は上記の事情に鑑みて為されたもので、球箱に向かって落下する球の球こぼれや配置台からの球箱の転落を効果的に防止するとともに、短時間に多量の景品球が払い出されてもすぐに満杯とならない容量の大きな球箱を使用可能とする遊技機を提供することを例示的課題とする。
【課題を解決するための手段】
【００１４】
上記の課題を解決するために、本発明の例示的側面としての遊技機は、遊技機の周囲を囲む筐体枠と、球の流下による遊技を実現する遊技領域がその前面に形成された遊技盤と、球を貯留する貯留皿とを有し、貯留皿の下方に、遊技盤前面より奥側に凹ませて形成され、貯留皿から排出された球を収容する球箱を配置するための球箱配置空間が設けられている。
【００１５】
遊技機が奥側に凹んだ球箱配置空間を有するので、配置台の突出量以上の奥行き（前後幅）がある球箱であっても、遊技機の手前に配置台からはみ出さずに配置することができる。奥行きのある容量の大きな球箱を使用することができるので、球箱がすぐに満杯となることがなくなり、遊技者にとって面倒な球箱の交換作業の回数が減る。したがって、遊技者は遊技に集中することができるようになる。
【００１６】
また、球箱の容量（奥行き）増加に伴い球箱の底板面積も拡大し、安定性が向上する。したがって、遊技者が球箱にぶつかっても、簡単に転落しない。
【００１７】
ここで、前面とは遊技機の設置状態における遊技者側の面をいい、奥側とは遊技者側の反対側すなわち遊技機の裏面側をいう。
【００１８】
また、筐体枠は、遊技機の周囲を囲むための枠体であり、材料としては木材が用いられることが多いが、他に樹脂やアルミ等の金属が用いられることもある。
【００１９】
筐体枠に対して前面開閉可能に軸支された枠部材をさらに有し、枠部材が、球箱を載置するための底面を有していてもよい。
【００２０】
筐体枠に対して前面開閉可能に軸支された枠部材が底面を有しているので、枠部材は、その開閉時に底面上の球箱とともに開閉動作する。したがって、球箱に枠部材がぶつかって球箱を転落させてしまうことがなくなる。
【００２１】
枠部材は筐体枠に、ヒンジ等を介して開閉可能に軸支されたものであればよく、例えば遊技盤を保持する機枠や球を貯留する貯留皿が形成された皿枠等がこれに含まれ、さらに遊技盤面を透視可能に保護する前面透明板（ガラス板）を保持する装飾枠と皿枠とが一体に形成されたものも含まれる。
【００２２】
球箱の左右方向の位置を決める位置決め部を、さらに有していてもよい。
【００２３】
球箱の左右方向の位置を決める位置決め部を有しているので、下皿又は流路から球箱に向けて落下してくる球の落下位置に確実に球箱を配置することができる。
【００２４】
ここで、左右方向とは遊技機の設置状態における、遊技者から見た左右幅方向をいう。
【００２５】
その位置決め部が、球箱配置空間に形成された位置決め部材であってもよい。
【００２６】
規制部材が球箱配置空間に形成されているので、位置決め部材によって遊技機の外観を損なうことがない。また、位置決め部材によって球箱を球の落下位置に確実に配置することもできる。
【００２７】
その位置決め部が、球箱配置空間の側面であってもよい。
【００２８】
球箱配置空間の側面が位置決め部であるので、部材を別途設けることなく球箱の左右の位置決めが可能となる。
【００２９】
球箱配置空間内に設けられ、貯留皿から排出された球を球箱に向けて放出する球出口と、貯留皿から排出された球を球出口へと導く溢流路とをさらに有していてもよい。
【００３０】
球出口が球箱配置空間内に設けられているので、そこに配置された球箱に向けて確実に球を落下させることができる。さらに、球出口から落下してきた球が球箱の底面に衝突して跳ね返り、球箱の外に飛び出そうとしても、球箱配置空間を形成する壁面や天井面に衝突して、球箱の外に出られないため、球こぼれも少ない。
【００３１】
本発明の更なる目的又はその他の特徴は、以下添付図面を参照して説明される好ましい実施の形態によって明らかにされるであろう。
【発明の効果】
【００３２】
本発明によれば、球箱内に向かって落下する球の球こぼれや、球箱の転落を効果的に防止するとともに、短時間に多量の景品球が払い出されてもすぐに満杯とならない、容量の大きな球箱を使用可能とする遊技機を提供することができる。したがって、この遊技機で遊技する遊技者は、球こぼれや球箱の交換作業にあまり気を使うことなく遊技に集中することができる。
【発明を実施するための最良の形態】
【００３３】
［実施の形態１］
以下、本発明の実施の形態１について図面を用いて説明する。図１は、本発明の実施の形態１に係る遊技機としてのパチンコ機２の外観を示す外観斜視図である。パチンコ機２は、筐体枠４、遊技盤６、その遊技盤６を保持する機枠１２、上皿（貯留皿）８と凹部（球箱配置空間）３０とが形成された皿枠（枠部材）１０を有して構成されている。パチンコ機２は、さらに、前面透明板１４、装飾枠１６、球発射装置（図示せず。）を有している。パチンコ機２は、景品球として球が払い出される遊技機であればよく、組合せ式パチンコ機等を含む。
【００３４】
筐体枠４は、このパチンコ機２の周囲を囲むための枠体であり、平面視略長方形に構成されている。材料としては、木材が用いられることが多いが、他に樹脂やアルミ等の金属が用いられることもある。筐体枠４は、パチンコ機２の上下面及び左右壁面を囲い、前面（すなわち、遊技者側。）から見て左側には機枠１２及び装飾枠１６を揺動支持するためのヒンジ部１８が設けられている。
【００３５】
遊技盤６は、このパチンコ機２において、遊技媒体としての球２０の流下による遊技を実現するためのものである。遊技盤６の遊技盤面（遊技盤前面）６ａには、略円形状に周囲を囲むようにレール飾り２２が取り付けられている。
【００３６】
その遊技領域６ｂ内には多数のゲージ２４、入賞口２６、図柄表示装置２８、アウト口２９、その他の各種役物が配置されている。図示しない球発射装置により球２０が遊技領域６ｂ内の上部に向けて発射されると、球２０がゲージ２４に衝突してその流下方向を変えつつ遊技領域６ｂ内を流下するようになっている。その流下の途中で、あるものは入賞口２６に入賞して景品球払出しの契機となり、あるものは図柄表示装置２８による図柄変動遊技開始の契機となり、また、あるものはいずれの入賞口２６にも入賞せずにアウト口２９からパチンコ機２の外部へと排出される。このように、遊技盤６上を球２０が流下する際に、様々な遊技が演出されるようになっている。
【００３７】
遊技盤６の裏面側には入賞口２６に入賞した入賞球やアウト口２９に流入したアウト球を排出するための球経路、図柄表示装置２８の図柄表示制御を行う図柄表示制御基板（図示せず。）、各種役物の動作制御を行う役物制御基板が配置されるが詳細は省略する。
【００３８】
機枠１２は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠１２は遊技盤６の周囲を囲むように構成されている。その機枠１２は、筐体枠４の前面側に配置されてヒンジ部１８において筐体枠４に軸支され、筐体枠４に対して前面開閉可能に揺動支持されている。機枠１２は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。
【００３９】
皿枠１０は、機枠１２の前面側下方に配置され、筐体枠４に前面開閉可能に軸支された枠体である。皿枠１０は、図２に示すように上皿８、発射ハンドル３２を有して構成され、さらに皿枠１０には凹部３０及び溢流路３８が形成されている。
【００４０】
上皿８は、球２０を球発射装置に導くべく貯留するためのもので、遊技者の持ち球を貯留する貯留皿としての機能を発揮する。上皿８は、パチンコ機２の前面であって遊技盤６の下方、すなわち装飾枠１６の下方部分に配置されている。本実施の形態１においては、上皿８のみで遊技者の持ち球を貯留しているが、上皿８とは別にその下方に下皿を設けて両方で持ち球を貯留するように構成してもよい。この場合、下皿も遊技者の持ち球を貯留する貯留皿としての機能を発揮することとなる。
【００４１】
上皿８は、景品球としてパチンコ機２から払い出された球２０を受け取る機能や、その球２０を球供給装置（いわゆる整流器、図示せず。）を介して球発射装置に導くべく貯留する機能を有している。上皿８には、図３（ａ）に示すようにシャッター部材４０が設けられている。上皿８に球２０が多量に貯留されると、その球２０はシャッター部材４０を越えて後に詳説する溢流路３８に流入する。したがって、シャッター部材４０は上皿８に貯留される球２０の貯留量を調整する機能を発揮する。また、遊技者が遊技を終了する場合に、球排出ボタン８ｂを操作するとシャッター部材４０が下方に移動し、上皿８に貯留された球２０が溢流路３８に流入するように構成されている。
【００４２】
発射ハンドル３２は、球発射装置による弾球強度を調整するためのハンドルであって、遊技者が手で操作するためのものである。発射ハンドル３２は、皿枠１０の前面右側に配置されて略円筒形状を呈しており、円筒周面に沿ってその強度調整杆３２ａが回転可能となっている。遊技者は、発射ハンドル３２を手で保持しつつ、強度調整杆３２ａを回転させることにより、球２０の発射強度を調整することができるようになっている。
【００４３】
凹部３０は、皿枠１０の前面であって上皿８の下方に、遊技機の奥側に凹ませた形状を呈して形成されている（図３（ｂ）も参照。）。そして、凹部３０は、奥面３０ａ、左壁面３０ｂ、右壁面３０ｃ、底面３０ｄ、天井面３０ｅを有して前面が開放された箱状の空間とされており、凹部３０内に、球箱Ｂ１を配置させることができる。したがって、奥行きのある容量の大きな球箱でも、パチンコ機２の手前側にあまり突出させることなく配置することができる。
【００４４】
奥面３０ａは、遊技盤６の遊技盤前面６ａよりも奥側に位置し、左壁面３０ｂ、右壁面３０ｃ、底面３０ｄ、天井面３０ｅを介して皿枠１０と一体的に形成されている。奥面３０ａは、凹部３０に押し込まれて配置される球箱Ｂ１に当接して、球箱Ｂ１の奥行き方向位置を定める機能を有する。
【００４５】
左壁面３０ｂと右壁面３０ｃとは、皿枠１０の前面から奥側に向かって延びるように皿枠１０と一体的に形成されている。左壁面３０ｂと右壁面３０ｃとの間隔は、球箱の配置状態における左右幅方向の寸法よりもわずかに大きくなるように形成されている。したがって、左壁面３０ｂと右壁面３０ｃは、協働して凹部３０に配置される球箱Ｂ１の左右方向の位置を決める位置決め部としての機能を発揮する。
【００４６】
底面３０ｄは、皿枠１０の前面から奥側に向かって延びるように皿枠１０と一体的に形成されている。底面３０ｄは、図３（ｂ）に示すように部分的に皿枠１０の手前に向かって突出している。底面３０ｄは、球箱Ｂ１を載置するためのものであって、全体として球箱Ｂ１の底板面積よりやや大きく形成されて球箱Ｂ１を安定して載置できるようになっている。球箱Ｂ１を安定して載置できるのであれば皿枠１０の前面から奥側に向かって延びる部分だけで形成されていてもかまわない。底面３０ｄに載置された球箱Ｂ１は、皿枠１０の開閉移動に伴って移動するので球箱Ｂ１が皿枠１０の開閉の邪魔にならない。皿枠１０は、底面３０ｄに載置された球箱Ｂ１とともに開閉動作するので、その動作途中で皿枠１０が球箱Ｂ１にぶつかって球箱を転落させてしまうことがない。
【００４７】
天井面３０ｅは、皿枠１０の前面から奥側に向かって延びるように皿枠１０と一体的に形成されている。天井面３０ｅには球出口３６が開口として形成されている。球出口３６は後に詳説する溢流路３８と繋がっており、その溢流路３８を流下してきた球２０を球箱Ｂ１内に向けて放出する機能を有する。天井面３０ｅと底面３０ｄとの間隔は、球箱Ｂ１の高さ寸法よりもわずかに大きくなるように形成されている。したがって、矢印ｊに示すように、球出口３６から放出された球２０が球箱Ｂ１の底板にぶつかって大きく跳ね返っても、球箱Ｂ１と天井面３０ｅとの間から球２０がこぼれるのを防ぐことができる。
【００４８】
溢流路３８は、皿枠１０の裏側（遊技者と反対側。）に形成された球流路であって、シャッター部材４０を越えて上皿８から溢れた球や、遊技者の操作により上皿８から排出された球を直接球出口３６へと導く機能を有する。本実施の形態１ではパチンコ機２に下皿を設けていないが、下皿を設けた場合には上皿８から溢れた球を下皿に導く他の流路を別途構成し、下皿と球出口３６とを連通するように溢流路を構成すればよい。
【００４９】
前面透明板１４は、遊技盤６に対して一定距離離間して配置された透明板である。前面透明板１４は透明平板で形成され、遊技盤６との間に球２０が流下する流下空間を形成する機能、遊技者が前面透明板１４を通して遊技盤６を視認できるように視認性を確保する機能、遊技者が遊技盤６に不正にアクセス（接触）できないように不正アクセスを防止する機能、を発揮する。
【００５０】
そのため、前面透明板１４の素材としては一般にガラスが使用されるが、もちろん透明アクリル等の樹脂材料が使用されてもよい。また、本実施の形態１においては、前面透明板１４が後述する装飾枠１６に保持されるが、前面透明板１４が遊技盤６の前面に取り付けられて、遊技盤６とともに機枠１２に保持されるように構成されていてもよい。
【００５１】
装飾枠１６は、前面透明板１４又はその周囲を囲む装飾部材３４を保持するための枠体である。本実施の形態１においては、装飾枠１６は、前面透明板１４及び装飾部材３４の両方を保持している。その装飾枠１６は、機枠１２の前面側に配置されてヒンジ部１８において機枠１２とともに筐体枠４に軸支され、機枠１２に対して前面開閉可能に揺動支持されている。
【００５２】
装飾枠１６は樹脂又は金属によって形成され、その中央部には前面透明板１４を取り付けるための取付け開口が形成されている。その前面透明板１４の周囲には、パチンコ機２を装飾するための造形・色彩・ランプが付された装飾部材３４が取り付けられ、パチンコ機２の遊技演出に寄与している。
【００５３】
なお、本実施の形態１では、筐体枠４に設けられたヒンジ部１８に機枠１２及び装飾枠１６の両方が軸支される構成となっている。しかしながら、機枠１２と装飾枠１６とがそれぞれ異なるヒンジ部によって軸支されていてももちろんよい。筐体枠４に機枠１２を軸支するヒンジ部が設けられ、機枠１２に装飾枠１６を軸支する別のヒンジ部が設けられていてももちろんよい。
【００５４】
図示しない球発射装置は、球２０を遊技領域６ｂの上部に向けて発射（弾球）するためのものである。球発射装置は、例えば発射位置に送り出された球２０を遊技領域６ｂに向けて弾球する発射杆、その発射杆を駆動して弾球往復動を行わせる発射モータ、発射杆を付勢して弾球のための力を発生させる発射バネ等を有してユニット構成され、機枠１２に取り付けられている。
【００５５】
なお、本実施の形態１においては、遊技機としてのパチンコ機２について説明したが、もちろん上述のように、遊技機としてはパチスロ機やスロットマシン、各種ゲーム機やアーケードマシン等が概念できる。
【００５６】
本実施の形態１では、皿枠１０を枠部材として構成し、そこに球箱配置空間を形成したが、皿枠と装飾枠とが一体的に形成されたものや、皿枠と機枠とが一体的に形成されたものを枠部材として、そこに球箱配置空間を形成してもかまわない。また、球箱配置空間に底面を形成せずに、球箱が直接配置台に載置されるように構成してもよい。
【００５７】
［実施の形態２］
本実施の形態２に係る遊技機としてのパチンコ機の皿枠５４について図４を用いて説明する。図４は本実施の形態３に係るパチンコ機の皿枠５４の正面図である。凹部５６（球箱配置空間）は、実施の形態１と同様に奥面５６ａ、左壁面５６ｂ、右壁面５６ｃ、底面５６ｄ、天井面５６ｅを有して皿枠５４を奥側に凹ませて形成されている。
【００５８】
本実施の形態２では、左壁面５６ｂと右壁面５６ｃとの間隔が、球箱Ｂ２の平面長手方向の寸法よりも大きく形成されているため、壁面による球箱Ｂ２の位置決めはできない。
【００５９】
しかし、天井面５６ｅには突条（位置決め部材）５８が形成されており、凹部５６に配置される球箱Ｂ２には溝６０が形成されている。球箱Ｂ２を凹部５６に配置するためには、突条５８と溝６０との位置を合わせつつ球箱Ｂ２を押し込まなければならない。したがって、球箱Ｂ２を球こぼれの少ない適切な位置に確実に配置することができる。
【００６０】
［実施の形態３］
本実施の形態３に係る遊技機としてのパチンコ機６２について図５を用いて説明する。パチンコ機６２は、本実施の形態１と同様に筐体枠６４の前面に機枠６８、皿枠７０が配置されている。しかし、筐体枠６４の下方が皿枠７０の前面まで延出され、そこに奥側に凹ませた凹部（球箱配置空間）６６が形成されている。
【００６１】
凹部６６は、奥面６６ａ、右壁面（図示しない。）、左壁面（図示しない。）、底面６６ｄ、天井面６６ｅを有して構成され、そこに球箱Ｂ３を配置することができる。したがって、奥行きのある容量の大きな球箱を使用することができる。
【００６２】
以上、本発明の好ましい実施の形態を説明したが、本発明はこれらに限定されるものではなく、その要旨の範囲内で様々な変形や変更が可能である。
【図面の簡単な説明】
【００６３】
【図１】本発明の実施の形態１に係るパチンコ機の外観斜視図である。
【図２】図１に示すパチンコ機の、球箱配置空間が形成された皿枠の正面図である。
【図３】図２に示す皿枠の断面図であって、（ａ）Ｘ−Ｘ断面図、（ｂ）Ｙ−Ｙ断面図である。
【図４】本発明の実施の形態２に係るパチンコ機の皿枠の正面図である。
【図５】本発明の実施の形態３に係るパチンコ機の下部の右側面図である。
【符号の説明】
【００６４】
ｊ：矢印
Ｂ１，Ｂ２，Ｂ３：球箱
２：パチンコ機（遊技機）
４：筐体枠
６：遊技盤
６ａ：遊技盤面（遊技盤前面）
６ｂ：遊技領域
８：上皿（貯留皿）
８ｂ：球排出ボタン
１０：皿枠（枠部材）
１２：機枠
１４：前面透明板
１６：装飾枠
１８：ヒンジ部
２０：球
２２：レール飾り
２４：ゲージ（釘）
２６：入賞口
２８：図柄表示装置
２９：アウト口
３０：凹部（球箱配置空間）
３０ａ：奥面
３０ｂ：左壁面（側面）（位置決め部）
３０ｃ：右壁面（側面）（位置決め部）
３０ｄ：底面
３０ｅ：天井面
３２：発射ハンドル
３２ａ：強度調整杆
３４：装飾部材
３６：球出口
３８：溢流路
４０：シャッター部材
５４：皿枠
５６：凹部（球箱配置空間）
５６ａ：奥面
５６ｂ：右壁面
５６ｃ：左壁面
５６ｄ：底面
５６ｅ：天井面
５８：突条（位置決め部材）
６０：溝
６２：パチンコ機（遊技機）
６４：筐体枠
６６：凹部（球箱配置空間）
６６ａ：奥面
６６ｄ：底面
６６ｅ：天井面
６８：機枠
７０：皿枠
【図１】
2008154914.tif 000003
【図２】
2008154914.tif 000004
【図３】
2008154914.tif 000005
【図４】
2008154914.tif 000006
【図５】
2008154914.tif 000007